Podtech/llm-jp-corpus-v4-ja_patent huggingface dataset:
(57)【要約】【課題】  排水、汚水、雨水等の管材、Ｕ字溝、蓋、側溝、マンホール、桝、槽等を構成しているコンクリートの材料、水、セメント、骨材であるジャリ、砂にトルマリン鉱石の粉末、あるいはトルマリン鉱石を混合させて排水、汚水、雨水等をトルマリンから発生するマイナスイン等の特性で水質の浄化、臭気効果、除菌効果、又はコンクリートの強度アップ等の環境と建築、土木工事が改善できる可能性を提供する。【解決手段】コンクリート製品を製造するときに従来の、水、セメント、砂、ジャリ、等の骨材に、粉末から直径２５ｍｍのトルマリン鉱石を適量、ミキサー等の混合機を使用して混合させ木製、合板製、金属板で構成された各種型枠等に流し込み製作する。固まった時点で型枠を外して製品とする。【選択図】  図１
2007077788.tif 000002
【特許請求の範囲】
【請求項１】
排水、汚水、雨水の管材、Ｕ字溝、側溝、マンホール、桝、蓋、槽等を構成しているコンクリートの材料であるセメントに、トルマリン鉱石を粉砕して粒度分布を調整した粉末から直径２０ｍｍ程度の大きさのトルマリン鉱石を設け、このトルマリン入りのセメントを主成分であるジャリ、砂等の骨材を手動又はミキサー等の混合機で混合したことを特徴とするトルマリン鉱石を含有した管材、Ｕ字溝、蓋、側溝、マンホール、桝、槽等の下水道設備資材。
【請求項２】
トルマリン、セメント、砂、ジャリ等を混合機を以って均一に練り、合板又は金属の型枠で形成された各種形状又は箱型の中に流し込んだ請求項１記載のトルマリン鉱石を含有した管材、Ｕ字溝、蓋、側溝、マンホール、桝、槽等の請求項１記載の下水道設備資材。
【請求項３】
トルマリンの発生するマイナスイオン、界面活性作用、遠赤外線の放出等による水質の浄化作用、消毒作用、消臭作用、抗菌作用に効果のある請求項１〜２記載のトルマリン鉱石を含有した管材、Ｕ字溝、蓋、側溝、マンホール、桝、槽等の下水道設備資材。
【請求項４】
トルマリン入り合成樹脂製の管材、Ｕ字溝、側溝、マンホール、枡、槽等にも利用できる請求項１〜３記載のトルマリン鉱石を含有した管材、Ｕ字溝、蓋、側溝、マンホール、桝、槽等の下水道設備資材。
【請求項５】
トルマリン粉末あるいは鉱石とセメント、ジャリ等の骨材と水とを手動、ミキサー等の混合機で混合させることによりコンクリートの強度がアップすると同時に、鉄筋の効果がます請求項１〜４記載の管材、Ｕ字溝、側溝、マンホール、枡、蓋、槽等の下水道設備資材。
【発明の詳細な説明】
【技術分野】
【０００１】  本発明は、管材、Ｕ字溝、蓋、側溝、マンホール、桝、槽等のコンクリートに粉末から直径２０ｍｍまでの大きさのトルマリン鉱石（電気石鉱石）を含有させ、セメント、砂、ジャリ等の骨材と水を手動、ミキサー等の混合機で混合したコンクリート製のものと、トルマリンの粉末を合成樹脂と混ぜ、成形機で成形した合成樹脂製のものに、トルマリンの特性を最大限利用した下水道設備資材に関するものである。
【背景技術】
【０００２】  従来は、セメントと砂、ジャリ等の骨材を手動あるいはミキサー等の混合機を使用して混合させ水を加えて混合したコンクリートを制作し型枠に流し込み下水道設備資材を製作する、コンクリート製のものが殆どであるが、重くて運搬、施工が大変であり、衝撃による破損等おきるため、近年は、合成樹脂製の下水道設備資材も軽量で、運搬容易で破損も少ないため使用されている。
例えば、特許３６５８５６８号公報、特許２５６５３７９号公報等がある。
【発明の開示】
【発明が解決しようとする課題】
【０００３】  それには次のような問題点があった。
（イ）コンクリートで形成された管材、Ｕ字溝、蓋、側溝、マンホール、桝、槽等は          、排水を集めて所定の下水処理場に導くための集水溝であり、道路が平坦、又          は排水勾配が形成できなくて雨水、汚水が溜まり、異臭を発し、かつ不衛生で          ある。
（ロ）コンクリートで形成された管材、Ｕ字溝、蓋、側溝、マンホール、桝、槽は雨          水、排水を集めて流すのみで、水質の改善、異臭の改善等の浄化が全然なされ          てなく環境分野の面で問題があった。
（ハ）雨水が流れるＵ字溝、側溝からの異臭が発せられ、何の対策もなされておらず          特に駅前等の商店街のＵ字溝、側溝からの異臭はひどく対策がなされていない          。
本発明は、以上の問題点を解決するためのものである。
【課題を解決するための手段】
【０００４】  コンクリートで形成される管材、Ｕ字溝、蓋、側溝、マンホール、桝、槽等に水に、セメント、砂、ジャリ等の骨材に、トルマリンの粉末〜直径２０ｍｍ位の鉱石（電気石鉱石）を入れて手動あるいはミキサー等の混合機で混合させ木型、合板、金型、等で型枠を組んでコンクリート製の下水道設備資材を製作し、又、合成樹脂材料のペレットにトルマリン鉱石の粉末等を混ぜ、成形機で成形した合成樹脂製の下水道設備資材を設ける。以上を特徴とするトルマリン粉末あるいはトルマリン鉱石を含有した管材、Ｕ字溝、側溝、蓋、マンホール、桝、槽である。
【発明の効果】
【０００５】  水とセメント、砂、ジャリ等の骨材にトルマリンの粉末、又は直径２０ｍｍ位までの大きさのトルマリン鉱石（電気石鉱石）を混ぜ合わせ、型枠等に流しこみコンクリート製の下水道設備資材にすることにより、又合成樹脂の材料にトルマリン鉱石の粉末等を混ぜ成形機で成形した下水道設備資材は、下水道の排水、雨水等をトルマリンの特性によって水質がマイナスイオンのヒドロキシンイオンとよばれる界面活性作用をもったイオンに変化し、洗浄効果、消臭効果、除菌効果、空気の浄化、コンクリの強度アップ等、環境、健康改善素材として、建築、土木工事に貢献でき発明の効果が大いに期待できる。
【発明を実施するための最良の形態】
【０００６】  以下、本発明の実施の形態を説明する。
（イ）砂、ジャリ等の骨材にセメントを混ぜ合わせ、トルマリンの粉末〜直径２０ｍ          ｍ位までの大きさのトルマリン鉱石（電気石鉱石）をミキサー等の混合機で混          ぜ合わせる。
（ロ）混合機で混ぜ合わせた材料に水を加えて混合する。ミキサー等の混合機で混合          された材料を前もって準備された木製、合板製又は金属板の各種型枠に流し込          んで、管材、Ｕ字溝、蓋、側溝、桝、マンホール、槽等を製造する。
（ハ）その後コンクリートが固まるまで放置し、各種型枠を解体して製品になる。
（ニ）合成樹脂の材料ペレットにトルマリン鉱石の粉末を混ぜ、各種成形方法で成形          する。
本発明は、以上の構成よりなっている。
これを使用するときは、既存の下水道工事と同様の施行方法でよい。
【図面の簡単な説明】
【０００７】
【図１】  本発明の一実施例を示すＵ字溝の斜視図
【図２】  概略断面図
【符号の説明】
【０００８】    １  Ｕ字溝等
２  トルマリン鉱石又は粉末
３  ジャリ
４  砂
５  セメント
６  水
【図１】
2007077788.tif 000003
【図２】
2007077788.tif 000004
(57)【要約】【課題】  本発明はトイレ使用直後の最も必要とされる消臭を、衛生的にも、自動化して解決することを提供する。【解決手段】以下、本発明の課題を解決するための手段を説明する。イ）管（１）の内部に、水車（２）を設け、水車（２）の中心に、回転軸（３）を設ける。ロ）その回転軸（３）の左右に風車（４）を設け、左右の風車（４）を包む、空気孔（５）のあいた、カバー（６）を取り付ける。ハ）更にカバー（６）に、消臭剤（７）を取り付けた、多孔フタ（８）を左右に設ける。ニ）回転軸（３）には、駆動を切り替えるクラッチ（９）を左右に取り付け、風車（４）を、スライド、レバー（１０）によって移動させて、入切にする。ホ）回転軸（３）の左右の風車（４）は、送風用の羽根向きになるように、左右対称に設ける。以上のことを特徴とする。【選択図】    図１
2007077785.tif 000002
【特許請求の範囲】
【請求項１】
イ）管（１）の内部に、水車（２）を設け、水車（２）の中心に、回転軸（３）を設ける。
ロ）その回転軸（３）の左右に風車（４）を設け、左右の風車（４）を包む、空気孔（５）のあいた、カバー（６）を取り付ける。
ハ）更にカバー（６）に、消臭剤（７）を取り付けた、多孔フタ（８）を左右に設ける。
ニ）回転軸（３）には、駆動を切り替えるクラッチ（９）を左右に取り付け、風車（４）を、スライド、レバー（１０）によって移動させて、入切にする。
ホ）回転軸（３）の左右の風車（４）は、送風用の羽根向きになるように、左右対称に設ける。
以上のごとく構成された、水流を利用した風車型消臭装置に関するものである。
【発明の詳細な説明】
【技術分野】
【０００１】  本発明は消臭装置に関するものであり、水洗トイレの洗浄排水の流を利用して工夫を加えることによって、トイレ使用後の消臭を行うようにしたものである。
【背景技術】
【０００２】  従来からトイレの消臭は、芳香剤の自然気化が一般的である。
芳香剤を入れた容器を室内に置き、芳香剤の蒸発・気化を自然に待つか、スプレー缶の中に芳香剤を詰めて、手動で空気散布する方法が多い。
【発明の開示】
【発明が解決しようとする課題】
【０００３】  しかし、トイレの設置の多くは密室型で空気の換気は悪く、湿度が高いため、トイレ使用直後の消臭に適さない場合が多く、非常に不便である。
そのため、芳香剤の香りを強くしたり、スプレー缶にしたりする方法が生まれたが、強すぎる香りや手動による感染等の衛生管理等、別の問題が発生する。
本発明は、このようなトイレ使用直後の、最も必要とされる消臭を、衛生的な面においても、自動化して解決することを課題とする。
【課題を解決しようとする手段】
【０００４】  以下、本発明の課題を解決するための手段を説明する。
この課題を解決するための〔請求項１〕の発明は、水洗トイレの使用後に使用する洗浄排水の配管の水流と連動して、左右の風車が回転して風力をつくり、気化した消臭剤を強制的に送風する構造で、必要によっては左右の風車の片方を停止したり、両方停止したり、消臭効果の調整など、任意に選択出来ることを特徴とする。
水流を利用した風車型消臭装置である。
【発明の効果】
【０００５】  この発明の効果を説明する。
本発明によって、トイレの消臭は、洗浄排水の開始と同時に連動して、行われるため、消臭効率が良い。
更に風力によって、気化した消臭剤を左右二ケ所から、送風するので、消臭効果が高い。
【発明を実施するための最良の形態】
【０００６】  図１は、管の内部に水車を設け、その水車の回転軸の左右に、風車を設けたことを特徴とする風車型の・消臭装置の断面図てある。
同図に示すように、管の水流に連動して、風力を発生し、その風力によって消臭剤を気化させて、送風することが出来る。【０００７】  又、左右二ケ所に詰めた消臭剤は、異なった香りの消臭剤を使用し、風車の片方停止を利用することによって、任意の選択が可能である。
更に左右二ケ所に詰める薬剤は、消臭剤だけでなく、空気の殺菌効果のある消毒剤も利用可能である。
又、消臭剤と消毒剤の併用も可能である。
【産業上の利用可能性】
【０００８】  本発明に係る消臭構造は、工業的に量産することが可能であるため、産業上の利用可能を有する。
【図面の簡単な説明】
【０００９】
【図１】  本発明の断面図である。
【符号の説明】
【００１０】（１）管（２）水車（３）回転軸（４）風車（５）空気孔（６）カバー（７）消臭剤（８）多孔フタ（９）クラッチ（１０）スライド、レバー
【図１】
2007077785.tif 000003
(57)【要約】【課題】引き戸のカギは二枚の引き戸の中央に設けられているため、取っ手を持って戸を閉め、その後にカギをかける必要があった。このため、急いで戸を開けようとする場合にはカギの解除に手間取り、操作に時間がかかるという問題があった。【解決手段】取っ手にかかる力により系合部が動き、カギを解除する。【選択図】図１
2007077783.tif 000002
【特許請求の範囲】
【請求項１】
支点を有し、一方に系止部を設け、他方に取っ手を設けた第１部材と、
前記第１部材を回転自在に戸の端部に固定する基台と、
前記系止部と系合する爪を有し、窓枠に固定した第２部材と、
前記第１部材を前記爪と系合する方向に付勢するとともに前記第１部材を中立位置に保持するバネ材と、
窓を閉める方向に移動すると前記第２部材前記爪に設けた傾斜部により前記系止部が前記爪を乗り越えて前記系止部と前記爪が系合して引戸が窓枠に固定され、
前記第１部材は、前記取っ手を前記第１部材と前記基台との間に設けたバネ材の付勢に対して押し、前記支点を中心に前記系止部を中心に前記第１部材が回転し前記系止部が前記爪との系合とが解除されて窓が開放自在になる引戸用カギ
【請求項２】
前記取っ手を押す力が前記第１部材を回転させ、かつ前記戸を開放する力となる位置に設けられている請求項１に記載の引戸用カギ。
【発明の詳細な説明】
【技術分野】
【０００１】  この発明は、引き戸等に用いるカギの構造に関する。
【背景技術】
【０００２】  従来の引き戸用カギは図３に示すように２枚の引き戸の中央に設けた構造物が２枚の戸を相互に固定し、窓を閉状態にするものであり、また、窓の開閉は２枚の窓のそれぞれに開閉用の取っ手が設けられ、戸を開閉するにはこの取っ手を操作するのが通常である。
【特許文献１】特開２００３−２６２０５２号公報
【発明の開示】
【発明が解決しようとする課題】
【０００３】しかしながら、以上の技術によれば、引き戸の開閉の用いる取っ手と戸を固定するカギとは別個独立に設けられており、戸を閉状態にするには取っ手により戸を閉め、その後中央のカギを操作して戸を固定するものであった。
そこで、本発明では取っ手を操作し、窓を操作することにより戸の施錠もすることができることを課題とする。
【課題を解決するための手段】
【０００４】  以上の課題を解決するために、第一発明は、支点を有し、一方に系止部を設け、他方に取っ手を設けた第１部材と、前記第１部材を回転自在に戸の端部に固定する基台と、前記系止部と系合する爪を有し、窓枠に固定した第２部材と、前記第１部材を前記爪と系合する方向に付勢するとともに前記第１部材を中立位置に保持するバネ材と、窓を閉める方向に移動すると前記第２部材前記爪に設けた傾斜部により前記系止部が前記爪を乗り越えて前記系止部と前記爪が系合して引戸が窓枠に固定され、前記第１部材は、前記取っ手を前記第１部材と前記基台との間に設けたバネ材の付勢に対して押し、前記支点を中心に前記系止部を中心に前記第１部材が回転し前記系止部が前記爪との系合とが解除されて窓が開放自在になる引戸用カギである。
また、第二発明は、前記取っ手を押す力が前記第１部材を回転させ、かつ前記戸を開放する力となる位置に設けられている請求項１に記載の引戸用カギ。である。
【発明の効果】
【０００５】  第一発明、または第二発明によれば、取っ手を操作して戸を開閉することによりドアの施錠も同時にすることができる。
【発明を実施するための最良の形態】
【０００６】  この発明の１実施形態を、図１および図２に示す。図１は本発明の一実施例を示す斜視図である。図２は構造を示すための概略断面図である。取っ手１は部材１の一端に取っ手６を、支点８の反対側に系合部２を設けている。部材１は支点８により基台５に回転自在に戸９に取り付けられ、バネ７により中立位置に保持されている。【０００７】  窓枠１０には第２の部材であるキャッチ部４が設けてある。キャッチ部４には戸側を呼び込み側として傾斜部を設け傾斜先端及び裏側を用いて爪３を形成している。【０００８】図１を参照に戸とカギの動作を示すと、戸９を閉める方向に取っ手を持ち、操作すると、戸９を閉める力により系合部２は爪の呼び込み方向に移動しながら戸９を移動する。このためバネ７が強力なものであっても系合は容易である。また閉状態でカギがかかっている戸を開けるには取っ手６を一度手前に引き、そのまま戸を開けれれば、ワンタッチで戸を開けることができる。【０００９】また、取っ手部６が十分に長く、支点６をオーバーハングする位置まで延長した場合には、取っ手６の先端を押すことにより系止部２が開放方行に移動させることができる。この場合は取っ手６の先端を押しながら戸を開けることになり、より自然な状態でカギを解除し、戸を開けることができる。【００１０】また、戸の取っ手以外の場所を持って戸を閉めようとした場合、系合部２は爪３の裏側の斜面を摺動し、最後には系合部２は爪３と系合する。戸を開ける場合の動作は前述の場合と同様である。【００１１】「実施形態の効果」
この実施形態によれば、を持ちやすい。突起３が半円球状なので、手が痛くない。半円球状の間に汚れが溜まりにくい。【００１２】「他の実施形態」
図１の実施形態では、バネ材７は部材１を中立位置に保持するものであるが、系止部１と爪３を系合する方向に付勢し、中立位置にストッパーを用いて保つものでも同様な効果が得られる。
【産業上の利用可能性】
【００１３】  本発明は引き戸に用いるカギの構造に関し、取っ手にカギの操作の機能も持たせることによりワンタッチで窓の開閉をすることができる。
【図面の簡単な説明】
【００１４】
【図１】この発明の一実施形態を示す斜視図である。
【図２】この発明の一実施形態の概要を示す断面図である。
【図３】従来例を示す図である。
【符号の説明】
【００１５】１  第１部材
２  系合部
３  爪
４  第２部材
５  基台
６  取っ手
７  バネ材
８  支点
９  戸
１０  窓枠
【図１】
2007077783.tif 000003
【図２】
2007077783.tif 000004
【図３】
2007077783.tif 000005
(57)【要約】【課題】  短時間かつ選択的なエンドトロパナミンの製造法の提供。【解決手段】  アンモニアの存在下、トロピノンをルテニウム触媒又はロジウム触媒を用いて接触還元することを特徴とするエンドトロパナミンの製造法。【選択図】なし【特許請求の範囲】
【請求項１】
アンモニアの存在下、トロピノンをルテニウム触媒又はロジウム触媒を用いて接触還元することを特徴とするエンドトロパナミンの製造法。
【請求項２】
触媒が、炭素担持ルテニウム又は炭素担持ロジウムである請求項１記載の製造法。
【請求項３】
白金族金属触媒が、炭素担持ロジウムである請求項１記載の製造法。
【請求項４】
さらに塩化アンモニウムを添加して反応を行う請求項１〜３のいずれか１項記載の製造法。
【発明の詳細な説明】
【技術分野】
【０００１】
本発明は、医薬品の製造中間体として有用なエンドトロパナミンの製造法に関する。
【背景技術】
【０００２】
エンドトロパナミンは、新しい鎮咳去痰剤である７−アザインドリルカルボキシ−エンド−トロパナミドの製造中間体として有用である（非特許文献１）。当該エンドトロパナミンの製造法としては、トロピノンを原料としＰｄ−Ｃ触媒下ギ酸アンモニウムを反応させる方法が知られている（非特許文献１）。
【非特許文献１】Marcello Allegretti, Alessandra Topai, Tetrahedron Letlers, 42(2001), 4257-4259
【発明の開示】
【発明が解決しようとする課題】
【０００３】
しかしながら、上記ギ酸アンモニウムを用いる方法においては、反応が遅く、２４時間もの長時間反応させる必要があった。
従って、より短時間で、立体選択的にエンドトロパナミンを製造する方法が望まれていた。
【課題を解決するための手段】
【０００４】
そこで本発明者は、トロピノンの還元アミノ化反応について種々検討した結果、アンモニアの存在下に、ルテニウム又はロジウム触媒を用いた接触還元を行えば、反応時間が２時間程度で、かつエンドトロパナミンが立体選択的に得られることを見出し、本発明を完成した。
【０００５】
すなわち、本発明は、アンモニアの存在下、トロピノンをルテニウム触媒又はロジウム触媒を用いて接触還元することを特徴とするエンドトロパナミンの製造法を提供するものである。
【発明の効果】
【０００６】
２時間程度の短時間で、エンド型のトロパナミンが選択的かつ高収率で得られる。
【発明を実施するための最良の形態】
【０００７】
本発明方法を反応式で示せば、次のとおりである。
【０００８】
【化１】
2007077092.tif 000002
【０００９】
すなわち、本発明はアンモニア（ＮＨ3）の存在下、トロピノン（１）にルテニウム又はロジウム触媒を用いて水素化することにより、エンドトロパナミン（２ａ）を選択的に製造する方法である。
【００１０】
通常、トロピノン（１）を還元アミノ化すれば、下記のような反応が生じるため、本発明の目的化合物であるエンドトロパナミン（２ａ）以外に以下のような多くの化合物が副生する。しかし、本発明によればエンドトロパナミン（２ａ）が選択的に高収率で得られる。
【００１１】
【化２】
2007077092.tif 000003
【００１２】
本発明方法に用いられるトロピノン（１）は、例えばトロピンを酢酸存在下に硫酸及び三酸化クロムで酸化する方法（Organic Preparations and Procedures International 112(3-4), 255-9：1980)、その他の公知の方法によって製造できる。
【００１３】
本発明の還元アミノ化反応に用いられる触媒は、ルテニウム触媒又はロジウム触媒である。白金族金属触媒のうち、パラジウム又は白金に比べて、ルテニウム又はロジウムを用いるとエンドトロパナミンの選択性が顕著に向上する。ルテニウム及びロジウムのうち、ロジウム触媒を用いた場合のエンドトロパナミンの選択性は特に高い。これらの触媒は、炭素に担持させたものが好ましく、炭素担持ルテニウム又は炭素担持ロジウムが好ましく、特に炭素担持ロジウムが好ましい。これらの触媒、例えば５％炭素担持触媒の使用量は、トロピノン０．７０ｇ（５．０×１０-3mol）に対し５０mg〜５００mg、特に１５０mg〜２００mgが好ましい。
【００１４】
本発明方法は、アンモニアの存在下に行われる。アンモニアの添加とルテニウム又はロジウム触媒との組み合せにより、反応速度が飛躍的に向上し、かつエンドトロパナミンの選択性が向上するものである。アンモニアは、トロピノンに対して１〜２０倍モル、特に５〜２０倍モル用いるのが好ましい。
【００１５】
また、本発明においては、アンモニアに加えて、塩化アンモニウムを添加することにより、エンドトロパナミンの選択性がさらに向上する。特に触媒としてロジウム触媒を用い、塩化アンモニウムを添加した場合のエンドトロパナミンの選択性は１００％となる。塩化アンモニウムの使用量は、トロピノンに対して０．１〜１倍モル、特に０．１〜０．８倍モルが好ましい。
【００１６】
還元条件は、水素圧０．１〜５０MPa、特に０．５〜２０MPaで行うのが好ましい。
【００１７】
反応は、エタノール、メタノール、イソプロパノール等の低級アルコール溶媒中で、２０〜８０℃の温度で、１〜５時間、特に１〜４時間行うのが好ましい。
【００１８】
反応終了後は、再結晶、洗浄、抽出、各種クロマトグラフィー等により、エンドトロパナミンを分離することができる。
【実施例】
【００１９】
次に実施例を挙げて本発明をさらに詳細に説明するが、本発明は何らこれに限定されるものではない。
【００２０】
実施例
アンモニア１．０ｇ（６．０×１０-2mol）を溶かし込んだエタノール１０mL、トロピノン０．７０ｇ（５．０×１０-3mol）、５％炭素担持白金族金属触媒（表１記載）０．２０ｇを内容積１００mLの電磁上下撹拌式オートクレーブに入れ、水素圧６MPa、反応温度７０℃で、２時間反応を行った。また、添加物を加える場合は、ＮＨ4Ｃｌを最初から０．２０ｇ（３．７×１０-3mol）加えた。生成物の同定には、ＧＣ、ＧＣ−ＭＳ、1Ｈ−ＮＭＲ、ＩＲを用いた。いずれの触媒を用いた場合でも反応はほとんど完結していた。生成物の定量結果を表１に示す。表中の化合物は、前記式中の記号で示した。
【００２１】
【表１】
2007077092.tif 000004
【００２２】
表１から明らかなように、非特許文献１のようにパラジウム触媒を用いた場合に比べて、ルテニウム又はロジウム触媒を用いた本発明方法は、副生成物が少なく、エンドトロパナミンの選択性が高いことが判明した。また、非特許文献１で２４時間必要だった反応時間が大きく短縮できることも判明した。
さらに、パラジウム触媒の場合にはＮＨ4Ｃｌを添加するとエンドトロパナミンの収率が低下するのに対し、本発明方法ではエンドトロパナミンの収率が向上し、特にロジウム触媒の場合副反応が完全に抑制され、エンドトロパナミンの選択性が１００％になることが判明した。
(57)【要約】【課題】  ヒトにとって重要な草木も，時として交通の障害，衛生害虫の発生など弊害になることも多々ある。そのため国，県，市町村，企業は，樹木枝の伐採や草の除去のためには毎年多くの予算を使わざるをえなかった。又，老人や婦人は，有害紫外線を浴びながら可酷な草取り作業を余儀なくされてきた。【解決手段】  植物成長調整塗料を開発した。このような機能性を持った塗料はいまだかつてなかった。この塗料を塗った個所から枝は伸長しない。枝の伸びの方向を決定することができる。  防草にはこの塗料を砂や樹木のチップ又その他の固形物に吹き付け又は浸漬し，コーティングしたものを草の生えては困る場所に敷き詰めることにより草の発生を防止する事ができる。環境への負荷を考慮して，これらの薬剤は，土壌微生物による消去する配合設計とした。【選択図】なし【特許請求の範囲】
【請求項１】
草の発生防止や樹木の成長調整を目的として，除草剤，根の忌避材，防藻剤のごとき化学品を混入した水性エマルション系の透明や不透明樹脂・塗料。
【請求項２】
草の発生防止や樹木の成長調整を目的として，除草剤，根の忌避材，防藻剤のごとき化学品を混入した溶剤系の透明や不透明塗料。
【請求項３】
草の発生防止や樹木の成長調整を目的として，除草剤，根の忌避材，防藻剤のごとき化学品を混入したシリコーンシーラントやアクリルシーラント，ウレタンシーレントのごときシーラント樹脂。
【請求項４】
草の発生防止や樹木の成長調整を目的として，除草剤，根の忌避材，防藻剤のごとき化学品を混入した各種塗料用下塗り透明シーラー。
【請求項５】
草の発生防止や樹木の成長調整目的として，除草剤，根の忌避材，防藻剤のごとき化学品を混入した重油や石炭から取り出した樹脂類。
【請求項６】
草の発生防止や樹木の成長調整を目的として，除草剤，根の忌避材，防藻剤のごとき化学品を混入したでん粉のり，松ヤニ，うるし，葛，長いものごとき植物樹脂。
【請求項７】
草の発生防止や樹木の成長調整を目的として，除草剤，根の忌避材，防藻剤のごとき化学品を混入したセラックニスごとき動物樹脂・塗料。
【請求項８】
草の発生防止や樹木の成長調整を目的として除草剤，根の忌避材，防藻剤のごとき化学品を混入したロウやパラフィンワックス。
【請求項９】
草の発生防止や樹木の成長の調整を目的とした除草剤，根の忌避材，防藻剤のごとき化学品を混入した高分子樹脂塗料。
【請求項１０】
草の発生防止や樹木の幹，枝の成育，成長の調整を目的とした除草剤，根の忌避材，防藻剤のごとき化学品を混入した合成樹脂ニス・塗料。
【請求項１１】
草の発生防止や樹木の成長を調整することを目的とした除草剤，根の忌避剤，防藻剤を混入したポリビニルアルコールのごとき各種合成樹脂。
【請求項１２】
草の発生防止や樹木の成長を調整することを目的とした除草剤，根の忌避剤，防藻剤を混入した合成樹脂ワックス，油脂ワックス。
【請求項１３】
除草剤，根の忌避剤，防藻剤を，カビ等の土壌微生物から守るためにオルトフェニルフェノールやチアベンダゾールやポリリジン等環境に害を与えない厚生労働省認定の食品添加物防カビ剤を混入した上記各種樹脂や塗料。
【請求項１４】
防草は砂等の固形物に塗布，浸漬コーティングしてその固形物を敷き詰める又樹木枝の成育調整は直接ハケやコンプレッサー等での噴霧方式でも塗布可能な粘度調整してあること，屋外での樹木枝への塗布は，雨水で湿っている場合でも塗布可能なような設計である樹脂・塗料。
【請求項１５】
防草，樹木枝調整剤共，長期残留して環境に影響を与えないように約３年間でカビ等の微生物侵食により消滅する設計の樹脂・塗料。
【請求項１６】
防草性能を芝などの，背の低い草だけを生えさせるように，樹脂や塗料中の薬剤濃度を変化させるよう設計した樹脂・塗料。
【発明の詳細な説明】
【発明の詳細な説明】
【技術分野】  国や都道府県市町村は草取りや樹木の枝伐採に多くの予算を費やしていた。又最近の公害による有害紫外線のある中，老人は日照りの下で草取りを余儀なくされていた。これらの解決のために一般に市販されている除草剤，根の忌避材，防藻剤を樹脂等の助けを得て接着固化させ長期にわたって薬剤効果を持続させる手法である。５年間に渡って，薬剤の種類，樹脂を試験してきた。防草効果と同時に環境に影響を与えないことに配慮して，除草剤などの薬剤をいかに３年程度で微生物分解をさせるかを追及した。
【背景技術】  除草剤は水に溶解して，地下に容易に浸透，河川に流れ環境を汚染して来た。薬剤を固定して長持ちさせることに留意しなかった。そのためにどれほどの，予算と労力を費やしたろうか。
樹木枝は高所に上り危険を犯し，ただ伐採するのみであった。重機移動による環境汚染も考慮しなくてはならない。
除草，樹木枝伐採の費用は，国，都道府県，市町村の予算出費に苦しんで来た。
【課題を解決するための手段】
薬剤を各種樹脂の利用により固定すること。草の固定は砂，砂利，木材チップ火山排出物，貝殻粉，各種産業廃棄物無機固形物などがある。
【発明の効果】
フィールドテストを５年間行った。シリコン樹脂をターペンで薄め，薬剤濃度を適宜変え実験した。１２カ所の試験区を作り効果を毎月写真に撮った，薬剤の濃度を変えた樹脂に砂を浸漬乾燥させ，砂や砂利などの固形物を一緒に，４０平方センチの大きさに区切り経時観察を行った。その結果，２年半は草の発生を押えていた。２年半を過ぎて，計画通り微生物特に子のう菌，不完全菌のトリコデルマにより侵食され，徐々に３年目には除草剤やその他の薬剤効果は減衰，消滅した試験区も出て来た。この試験区の砂をシャーレで培養すると，カビの阻止帯は全く作らなかった。また砂の上にはこの結果により，環境に影響を与えない，防草樹脂であり，技術であることを確信した。またこの防草樹脂砂を，観賞用植物に接触させ，その経過を見たが，全く影響がなかった。水仙にも接触させ実験したが一般に成育していた水仙より花の寿命，茎共に長かった。薬剤効果により，水仙の回りに草が生えていなかったのが理由ではないかと考えた。
【産業上の利用分野】
草取りや樹木枝の伐採これまでは，全くの手作業であった。どれだけの予算を使ったろうか。これからは大幅に予算を削減することが出来る。この作業の開発により，シルバー年齢の方，フリーターやニートの若者の職場を提供することにもなると想像する。
(57)【要約】      （修正有）【課題】内燃機関のエンジンの静電気を取り、エンジン設計時の設定馬力の還元と燃費の向上を目的とするラジエター冷却水による静電気除去方法を提供する。【解決手段】ラジエター内の冷却水として、二酸化ケイ素にグラファイトをエマルジョン化した液体を使用することにより、ｅ−の電気的性質を帯びた冷却水がエンジンシリンダの外側を流れ、シリンダー内のｅ＋の電気的性質が除去され、その結果、燃料混合ガスが完全燃焼し馬力の向上と燃費の改善が図られる。【選択図】      なし【特許請求の範囲】
【請求項１】
自動車など車両のラジエター内へ注入する液体にグラファイトを混在させた、ラジエター冷却水。
【請求項２】
二酸化ケイ素でグラファイトをエマルジョン化した事を特徴とする請求項１記載のラジエター冷却水。
【発明の詳細な説明】
【発明の詳細な説明】
車は走行時、高圧静電気や邪魔な電磁波（高周波）が発生します。特にプラスの静電気が車に帯電すると流体抵抗が増して性能が低下します。
エンジンの燃焼室に一番近い所を循環する冷却水に着目し、二酸化ケイ素にグラファイトを加えることにより、エンジン内の冷却水を電子電動体とし、静電気を著しく下げその結果として、エンジン設計時の設定馬力が還元されパワーアップ・排気ガスの減少及び燃焼を向上させます。
内燃機関のエンジンはピストンの上下運動をさせるクランク軸により、回転運動に変換させ、このクランク軸が冷却水循環ポンプのギアを回転させます。この時静電気や流動抵抗によりポンプの駆動馬力が損失されます。
エンジンにより作られた馬力が１００とすると、次のような損失原因があります。循環ポンプ駆動で約８％消耗。潤滑油循環ポンプ駆動で約８％消耗。ピストンの上下運動で、約１５％消耗します。すべてが内燃機関により発生する、静電気が原因で３１％もの駆動馬力が損失されます。
二酸化ケイ素にグラファイトを加える事により、グラファイトが持つｅ−がこの静電気を取り、摩擦部分の抵抗を下げ、摩擦断面積が少なくなって抵抗が小さくなります。機関の負荷比率が低くなるので、エンジン設計時の設定馬力が還元されパワーアップします。又、排気ガスの減少及び燃焼が向上し燃料の消耗量が少なくなると同時に、消音効果・廃棄ガスの減少・振動がなくなるなどの特徴があります。
［発明の属する技術分野］
本発明は、冷却水に二酸化ケイ素にグラファイトをエマルジョン化した液体を混ぜることにより車両の静電気を取り摩擦部分の抵抗を下げ、エンジン設計時の設定馬力の還元と燃費の向上を図るものである。
［従来の技術］
車輌等の馬力の向上や燃費改善方法は、燃料添加剤、燃料タンク、燃料パイプなど燃料や配管系のものが中心である。ラジエターへ注入するものは特許公開２００３−１６１１５２があるが電気石が放射している遠赤外線がそのまま熱エネルギーに変換され、燃焼率の向上を図ろうとするものであり、本発明と原理が異なり遠赤外線がそのまま熱エネルギーに変換させるなどの問題があった。
【発明が解決しようとする課題】
本発明は静電気を取り、エンジン設計時の設定馬力の還元と燃費の向上を目的とする。
【課題を解決するための手段】
二酸化ケイ素にグラファイトを加える事により、グラファイトが持つｅ−がこの静電気を取り、摩擦部分の抵抗を下げ、摩擦断面積が少なくなって抵抗が小さくなります。
［発明を解決するための手段］
グラファイトは通常水溶液に対して均一化されない。本発明における冷却水の中に添加するグラファイトの物質的形状としては、特に制限はないが、２０ナノ処理した二酸化ケイ素１００％にグラファイト１５％を加える事により、グラファイトをエマルジョン化することができる。そのためグラファイトを水溶液に対して均一化することができる。
【実施例】  ラジエター内の冷却水として、二酸化ケイ素にグラファイトをエマルジョン化した液体を使用することによりｅ−の電気的性質を帯びた冷却水がエンジンシリンダの外側を流れ、シリンダー内のｅ＋の電気的性質が除去されその結果、燃料混合ガスが完全燃焼し、馬力の向上と燃費の改善が図られる。
【発明の効果】
本発明により車輌等の内燃機関全般において、１０％から３０％の燃費の改善と馬力の向上が認められた。
(57)【要約】      （修正有）【課題】  非常に簡単な方法で、植物油の不快臭を解消し、それぞれの好みの臭いを短時間で付与でき、油の色も変えることができる方法を提供する。【解決手段】  室温状態の植物油を適当な容器に入れ、植物の葉、枝、茎、果実、花、根及びそれらの乾燥物、粉砕物、粉末及び乾燥ハーブの中から選択されたもの１種又は複数種を適量加え、水媒体中で加熱する。油の温度が７０度になったら、加熱を止め、冷却する。冷えて室温まで戻ったら、添加した植物などを濾過して、油だけを取り出す。【選択図】  図１
2007077380.tif 000002
【特許請求の範囲】
【請求項１】
アプリコットカーネルオイル（杏仁核油）のような植物油に植物の葉、枝、茎、果実、花、根及びそれらの乾燥物あるいはその粉砕物を単独または組み合わせて添加し、これを適当な容器に入れ、水を入れた容器中に浸漬し、水を加熱していき、油の温度が７０度に達したら、加熱を中止・冷却し、その後室温に戻ったら、添加物を分離し、植物油のみを得ることを特徴とする臭い並びに色相を改善した植物油の製造方法
【請求項２】
請求項１に記載の方法で製造して得られる臭い並びに色相を改善した植物油
【発明の詳細な説明】
【技術分野】
【０００１】  本発明は、植物油、特にアプリコットカーネルオイル（杏仁核油）のような不快な臭気を抑制すると同時に好ましい臭いを付与する方法及び好みの色を付与する方法に関する。
【背景技術】
【０００２】  アプリコットカーネルオイル（杏仁核油）のような植物油は、搾油後に酸化が進みやすい等の理由から、そのまま使用すると不快臭がある。植物オイルの不快臭を除くためにアルコールを添加する方法が知られている（非特許文献１参照。）。しかしながら、この種のオイルはマッサージオイル等肌に直接触れる形で使用するために、アルコール分を多く含有させると、アルコールの水親和性の良さから、乾燥肌を誘発しやすくするなど、肌に悪影響を与えてしまう。それ以外には、藻類から得られる食用油脂の特有の臭気を抑制する方法として、ウメ香料などの香料とビタミンＥを添加する方法が知られている（特許文献１参照。）。また、食用油脂に特定の前処理を加えた風味性材料を配合後、加熱処理して風味油を製造する方法が知られている（特許文献２参照。）。風味材料を前処理するので工程が煩雑になってしまう。又、油糧種子にマイクロ波を照射して焙煎処理して芳香油を得る方法も知られている（特許文献３参照。）。この場合はマイクロ波を照射するための装置が必要になるので、簡単にできない欠点がある。
【特許文献１】    特開２００５  ６５９５号公報
【特許文献２】    特開平１０  ２６２５６１号公報
【特許文献３】    特許第３５７１７３８号公報
【非特許文献１】    小幡有樹子著「肌に優しい石鹸  手作りレシピ３２」祥伝社刊（２００３年発行）ｐ．４６
【発明の開示】
【発明が解決しようとする課題】
【０００３】  非常に簡便な方法で、植物油の不快臭を解消でき、更には好みの臭いを短時間で付与でき、油の色相も簡単に変えることができる方法を提供する。
【課題を解決するための手段】
【０００４】  室温状態の植物油を適当な容器に入れ、植物の葉、枝、茎、果実、花、根及びそれらの乾燥物、粉砕物、粉末及び乾燥ハーブから選択されたものを単独でまたは複数組み合わせて適量加え、室温の水が蓄えてある容器に、中に植物油が入った容器を適当な手段で保持して転倒しないようにして浸漬し、水を加熱する。油の温度が７０度になったら、加熱を止め、冷却する。冷えて室温まで戻ったら、添加した植物などを濾過して、油だけを取り出す。
【発明の効果】
【０００５】  植物油固有の不快臭を安価で、極めて簡便な手法で解消でき、好みの臭いを短時間に付与することができる。高価な装置や煩雑な操作はいらない。
【発明を実施するための最良の形態】
【０００６】  室温状態の植物油を図１に示すような加熱可能な容器に入れ、植物の葉、枝、茎、果実、花、根及びそれらの乾燥物、粉砕物、粉末及び乾燥ハーブから選択されたものを単独でまたは複数組み合わせて適量加え、室温の水が蓄えてある容器に、中に植物油が入った容器を適当な手段で保持して浸漬する。水を加熱していき、油の温度が７０度になったら、加熱を止め、冷却する。冷えて室温まで戻ったら、添加した植物などを濾過して、油だけを取り出す。添加する植物の種類を変えることで、好みの臭気及び色の植物油を極めて簡便、短時間に製造することができる。添加する植物としては、桜、緑茶葉、ウコン粉末、黒豆、胡瓜の皮、茄子の皮、トマト、よもぎ粉末等を挙げることができる。乾燥物や粉砕物を添加した方が処理時間を短くできるので好ましい。処理対象の植物油としては、特にアプリコットカーネルオイル（杏仁核油）として知られている杏子の種の核から抽出される油が好ましい。添加する植物の葉は油１００部に対して    ０．５部から２０部、好ましくは１部から１０部である。
【実施例１】
【０００７】  アプリコットカーネルオイル（杏仁核油）１００ｇをパイレックス製のビーカーに入れ、桜の葉を２日間天日干しして乾燥したものを、電子レンジで１分間処理後、すりこぎで粉砕したものを３ｇ入れ、ガラス棒にて攪拌した後、水を入れた鍋に植物油の入ったビーカーを適当な手段で保持して、水の中に漬けた。水を加熱していき、油の温度が７０度になったら、加熱を中止し、鍋から取り出し冷却した。室温へ戻ったのを確認したら、通常の方法で濾過し、アプリコットカーネルオイル（杏仁核油）を取り出した。このようにして得られたアプリコットカーネルオイル（杏仁核油）は不快臭がなくなり、好ましい臭気を与える植物油を得ることができた。
表１には、アプリコットカーネルオイル（杏仁核油）の臭気に関して官能試験した結果を示した。処理後の油に関してはかなり臭気が改善されていることが示された。
【表１】
2007077380.tif 000003
【実施例２】
【０００８】  適当な容器に精製水１８０ｇを入れ、そこに苛性ソーダ６３ｇを溶解する。発熱が起こるので、その容器を水で４０度まで冷却する。次に、ラード２００ｇ、ショートニングオイル１００ｇ、実施例１のように処理したアプリコットカーネルオイル（杏仁核油）２００ｇを含む液を４０度まで温め、苛性ソーダ水溶液を加えて、２０分間よく攪拌する。温かい液の段階で、適当な型に液を注ぎ、発泡スチロール製の保温性のある箱に収納して、２４時間放置する。固まったものを取り出して適当な大きさに裁断し、室温に放置して乾燥させる。このようにして石鹸を製造した。
【産業上の利用可能性】
【０００９】このようにして得られた植物油は石鹸、化粧料などの原料として有用である。
【図面の簡単な説明】
【００１０】
【図１】植物油を加熱する装置の全体図
【図１】
2007077380.tif 000004
(57)【要約】      （修正有）【課題】汚れた洗濯物を効果的にクリニング出来る技術により、環境浄化に寄与するクリニング洗浄組成物及び洗濯方法を提供する。【解決手段】石鹸１、微生物２および、酵素３さらに過酸化水素水４とカホウ酸５、酸素系漂白剤９を加えて、そして洗濯水６に混入して、これらを加温して保ち、洗濯機のドラム８内で、よく混合撹拌させて、洗浄組成物７を形成し、この中に洗濯物１０を投入して、洗濯を実施する。【選択図】図１
2007077377.tif 000002
【特許請求の範囲】
【請求項１】
石鹸（１）１００ｇに対して、微生物（２）１５ｇおよび、酵素（３）３０ｇ、さらに過酸化水素水（４）２０ｃｃとカホウ酸（５）１５ｇ、酸素系漂白剤（９）２ｇを加え、そして洗濯水（６）２ｌの割合にて混入して、温度５０〜６０℃に加温して保ち、洗濯機のドラム（８）内で１０分程よく混合撹拌させて、洗浄組成物（７）を形成し、この中に洗濯物（１０）を投入して、洗濯実施してなる、クリニング洗浄組成物および洗濯方法。
【発明の詳細な説明】
【技術分野】
【０００１】  本発明は、汚れた洗濯物を効果的にクリニング出来る技術に関するものである。
【背景技術】
【０００２】  現在、多くのクリニング屋では、洗濯機の洗濯水（６）に石鹸（１）を投入して固定プログラムで洗濯を行っている。その工程は、洗い１０分、脱水２分、すすぎ３分、そしてまた、すすぎ３分、脱水５分で行われている。
【発明の開示】
【発明が解決しようとする課題】
【０００３】  しかしながら、従来のこの方法では、洗濯物の洗浄力に限界があり、ましては、染み等はこの工程では取れず、それに洗濯物のシワや縮み現象が生じ、さらには、洗濯物でウール、カシミヤ、レーヨン等、素材により洗濯すると痛めてしまうので洗濯物の素材により、洗えるものと、洗えないものに、分ける必要があった。
本発明は、このような問題点を改善する為に、なされたものである。
【課題を解決するための手段】
【０００４】  これらの課題を解決する方法として、本発明では以下の割合で混合した、洗浄組成物（７）を開発して、それを特別の洗浄剤として利用し実施したものである。
まず洗濯水（６）２ｌの中に、石鹸（１）１００ｇ、微生物（２）１５ｇ、酵素（３）３０ｇ、過酸化水素水（４）２０ｃｃ、カホウ酸（５）１５ｇ、酸素系漂白剤（９）２ｇの割合で混入して、設定温度５０〜６０℃に加温して保ち、洗濯機のドラム（８）内で１０分程よく混合撹拌させると洗浄剤としての、洗浄組成物（７）ができる。次に洗濯物をこの中に入れて洗濯機械の回転数を１分間当り２〜３回転の超低速で、洗濯時間は１５分としてセットして、本発明による洗濯を完了する。
【発明の効果】
【０００５】  １．ワイシャツに限らず、全ての洗濯物の頑固な袖部分や襟部分に見られる脂汚れ等を強力に分解洗浄し、同時に全ての染み等も、全体的にバランス良く、取り去る事が出来、漂白作用もソフトに働き、色むらが無くなり、全ての洗濯物が新品同様に洗濯復元する事が出来た。
２．従来、水洗いできなかった、背広やブレザー、セーターも洗濯でき、しかも、皺や縮み等無くなり、またシューズ類等の分野の洗濯物まで、丸洗い出来る。
３．素材で通常水洗い出来ない表示があるものでも、ほとんど商品を痛めず洗う事が出来る。例ば、ウール、カシミヤ、レーヨン、綿、テトロン、テンセル等の殆どの洗濯商品に対応出来る。
４．微生物の働きで、染み出た汚れ成分を食べ、また洗浄剤の劣化を防止し、浄化するので何回も再使用が可能であり、洗濯機のドラム内部に付着する汚れ成分も皆無であり、最高の洗濯条件が得られる。また微生物の効果により、廃水もクリーンな環境条件を満たし、廃水管の汚れまで取れる。
【発明を実施するための最良の形態】
【０００６】  以下、本発明の実施の形態について説明する。
効果的に洗濯物（１０）の汚れを、取り去る方法はないものかで、実験と検証を繰り替えし行った結果、洗濯水（６）２ｌ中に、石鹸（１）１００ｇと微生物（２）を１５ｇ投入する。この微生物（２）は汚れの油脂分等を好んで食べて、水に分解して排出する好気菌である。またこれに酵素（３）３０ｇを投入する、この酵素（３）はライト顆粒酵素とスーパーコーソを、独自にブレンドしたもので、洗濯物（１０）等の衣服に染み込んだ頑固な汚れを、その生地から分離剥がし取る効果を促進させる。つまり、タンパク分解や脂肪分解、デンプン分解を促進する。
さらに染み抜き促進としての過酸化水素水（４）２０ｃｃ、カホウ酸（５）１５ｇを投入する、そしてこれに素材により必要に応じて、酸素系漂白剤（９）２ｇを追加投入して漂白作用を促進させるために用いる。【０００７】  本発明は、以上のような構成であり、この割合で構成された、この液剤を温度５０〜６０℃に加温設定して、洗濯機のドラム内で１０分程よく混合撹拌する。こうすることにより、まんべんなく均等に混合されることと、微生物（２）の生活環境をベストにすることで、汚れ分を活発に処理させる事が出来る。この撹拌により、最高水凖の洗浄組成物（７）が形成される。この洗浄組成物（７）の中に、洗濯物（１０）を投入して、洗濯機械の回転数を１分間当たり２〜３回転の超低速にセットする。これは洗濯物（１０）の生地を痛めないためと、皺や縮みを作り出さないため、さらには一番重要な微生物（２）の働きを、十分行わせる事である。なお、洗濯の時間は１５分間で洗濯を完了する。
【図面の簡単な説明】
【０００８】
【図１】  本発明の実施図である。
【符号の説明】
【０００９】  １  石鹸
２  微生物
３  酵素
４  過酸化水素水
５  カホウ酸
６  洗濯水
７  洗浄組成物
８  ドラム
９  酸素系漂白剤
１０  洗濯物
【図１】
2007077377.tif 000003
(57)【要約】【課題】足指ソックスを脱いだ際に足指部分が反転しても、容易に元に戻すことができるようにするとともに、外観を通常のソックスと変わらないようにする。【解決手段】１と６を、２と７を、３と８を、４と９を、５と１０をそれぞれ接合させ、裏返す。【選択図】図１
2007077541.tif 000002
【特許請求の範囲】
【請求項１】
足指靴下と普通の靴下が、つま先の部分でつながっている靴下。
【請求項２】
普通の靴下の内側に、足指靴下が内蔵されている靴下。
【請求項３】
請求項1について、つなげ方は問わない。また、内部の足指靴下が足先のどのくらいの部分までを覆う構造になっているかを問わない。
【請求項４】
請求項２について、普通の靴下に内蔵される足指靴下の内蔵方法は問わない。
【発明の詳細な説明】
【技術分野】
【０００１】
本発明は、足指靴下内蔵型靴下、及び、その製造方法に関する。
【発明の開示】
【発明が解決しようとする課題】
【０００２】
従来の足指ソックスにあっては、足指部分がそれぞれ独立しているために、脱いだ際に足指部分が反転してしまうという不都合があり、また、元に戻すのが非常に面倒であった。
【０００３】
本発明は、足指ソックスを脱いだ際に足指部分が反転してしまっても、容易に元に戻すことができるようにすることを目的としており、さらに、外見は通常のソックスと変わらないため抵抗無く履くことができ、また、本発明の製品化にあたっては、従来の足指ソックスの製法と通常のソックスの製法を組み合わせることになるため、製造が容易である。
【課題を解決するための手段】
【０００４】
上記目的を達成するために、本発明の足指ソックスにおいては、普通のソックス及び足指ソックスを完全に裏返った状態にし、それぞれのソックスの先端部をつなげるものとする。
【発明の効果】
【０００５】
本発明は、以上説明したように構成されているので、以下に記載されているような効果を奏する。
【０００６】
本発明は、脱いで足指部分が反転しても、上層の靴下部分を裏返して引っ張ることで容易に足指部分の反転を解消することができる。
【０００７】
本発明は、通常の足指ソックスと普通のソックスを接合したものなので、従来の製造方法を大幅に変更することなく製造できる。
【０００８】
本発明は、概観が普通のソックスとなんら変わりないため、足指ソックスをはくことに抵抗感がある人でも、無理なく履くことができる。
【０００９】
本発明は、内部が二重構造になっているため、普通のソックスと比べ保温効果が高い。
【発明を実施するための最良の形態】
【００１０】
足指靴下の先端部と通常の靴下の先端部を接合する。
【実施例１】
【００１１】
図１は、本発明ソックスを裏返した図である。
【図面の簡単な説明】
【００１２】
【図１】本ソックスを裏返した図である。
【図２】本ソックスを表に返した図である。
【符号の説明】
【００１３】
１  足指ソックス  小指部
２  足指ソックス  薬指部
３  足指ソックス  中指部
４  足指ソックス  人差し指部
５  足指ソックス  親指部
６  通常のソックスと足指ソックスの小指部との接合点
７  通常のソックスと足指ソックスの薬指部との接合点
８  通常のソックスと足指ソックスの中指部との接合点
９  通常のソックスと足指ソックスの人差し指部との接合点
１０  通常のソックスと足指ソックスの親指部との接合点
【図１】
2007077541.tif 000003
【図２】
2007077541.tif 000004